(57)【要約】【課題】スターホイール（爪車）を使ったオルゴールの自動演奏ムーブメントに於いて、サンスター（歯車）とスターホイール（爪車）のお互いのかみ合いで装置全体が停止することを防止するため、スターホイール（爪車）の水平方向駆動方法を開発する。【解決手段】サンスター（歯車）に代わって、コノ字型のミゾを持つスライダーをオルゴールの弁だけ配設し、スライダーをソレノイド等で往復駆動することで、弁を弾くようにした。【選択図】図２
2015203865.tif 000002
【特許請求の範囲】
【請求項１】
爪車を使ってオルゴールの弁を弾くオルゴールムーブメントに於いて、各弁専用のコノ字型の溝を持つスライダーもしくは回転車を往復運動させて、爪車を一方方向に回転させオルゴールの弁を弾くようにしたことを特徴とする自動演奏装置
【請求項２】
爪車を使って、弁を弾くディスクオルゴールのディスクに関し
１）ディスクの真ん中を中心にして外周をＮ等分に分割し、音階用の穴とは別の最外周に検出用の穴をＮ個設ける。
２）ディスクの中心に直径ｄの円を描き、上記Ｎ等分された検出用の穴の中心より直径ｄの円周に接する接線を描く。
３）直径ｄは、上記接線上に弁と同数だけ穴を開けてありディスクが回転をしたときに全ての音階の弁がほぼ同時に弾かれるような直径である。
以上の穴をあけられたことを特徴とする自動演奏用のディスク
【発明の詳細な説明】
【技術分野】
【０００１】  本発明は、自動演奏オルゴールに関する。
【背景技術】
【０００２】  従来のオルゴールの自動演奏できる装置はあった。
（例えば、特許文献１参照）
【先行技術文献】
【０００３】
【特許文献１】特開２００１−２３６０６１  オルゴールの弾鍵装置
【０００４】
【特許文献２】特開平９−１５２８６４  ディスクオルゴール
【発明の概要】
【０００５】
【発明が解決しようとする課題】
【０００６】  従来のオルゴールの弁を弾く装置は、特許文献１に記載されている第４図で、爪車６を歯車５で間欠送りをすることで、オルゴールの弁を弾いていた。
しかしながら、第４図で示す爪車がθ度回転すれば問題ないが、爪車がごみ等により回転しない場合、爪車と歯車がお互いにかみ合ってしまい歯車が停止することがあった。
この現象を本図で説明すると、本特許の図１１に於いて、サンスター（歯車）４６の歯４７とスターホイール（爪車）６の歯が図のようにな状態になったとき矢印Ａの矢印方向に歯車の回転力が伝わったときスターホイール（爪車）６の歯とサンスター（歯車）４６歯４７はお互いにかんで動かない状態になってしまい、装置全体が停止するという重大な事故になりかねないことがあった。
従って、スターホイール（爪車）６に弁１と同じ方向の矢印Ｂの様に水平方向に駆動する方法が求められていた。
本発明は第一に、従来の自動演奏オルゴールのサンスター（歯車）とスターホイール（爪車）の弾弁方法の改善と、第二にディスクオルゴールのディスクの穴あけ方法を改善した新しいディスクの自動演奏装置である。
【課題を解決するための手段】
【０００７】  本発明は上記目的を達成するために１つは、歯車（サンスター）の変わりに、水平に往復動をするコノ字型のミゾを持ったスライダーを使って弁を弾く方法、２つ目は、水平に連続回転していくディスクを使う方法がある。【０００８】  爪車を使ってオルゴールの弁を弾くオルゴールムーブメントに於いて、各弁専用のコノ字型のミゾを持つスライダーもしくは回転車を往復運動させて、爪車を一方方向に回転させオルゴールの弁を弾くようにしたことを特徴とする自動演奏装置【０００９】  爪車を使って、弁を弾くディスクオルゴールのディスクに関し
１）ディスクの真ん中を中心にして外周をＮ等分に分割し、音階用の穴とは別の最外周に検出用の穴をＮ個設ける。
２）ディスクの中心に直径ｄの円を描き、上記Ｎ等分された検出用の穴の中心より直径ｄの円周に接する接線を描く。
３）直径ｄは、上記接線上に弁と同数だけ穴を開けてありディスクが回転をしたときに全ての音階の弁がほぼ同時に弾かれるような直径である。
以上の穴をあけられたことを特徴とする自動演奏用のディスク
【発明の効果】
【００１０】  上述したように本発明のオルゴールの弾弁装置、及びディスクにより自動演奏装置の信頼性があがり、故障の少ない安全な装置を提供することができる。
【図面の簡単な説明】
【００１１】
【図１】コノ字型のミゾを持つスライダーを使用した、ムーブメントの上面図
【図２】同上側面図
【図３】スターホイールとコノ字型のミゾを持つスライダーの初期状態図
【図４】スターホイールの爪がコノ字型のミゾに入った状態図
【図５】スターホイールの爪がコノ字型のミゾの角で押される状態図
【図６】スターホイールとコノ字型のミゾを持つスライダーの終点状態図
【図７】従来のディスク
【図８】本特許のディスク上面図
【図９】本特許のディスクを使用したムーブメントの上面図
【図１０】同上側面図
【図１１】スターホイールとサンスターの咬んだ状態図
【図１２】コノ字型のミゾを持つ往復回転車
【発明を実施するための形態】
【００１２】
【実施例１】
【００１３】  以下本発明請求項１の、コノ字型のミゾを持つスライダーを使用したムーブメントの実施内容について説明するにあたって、メカニズムは、は特許文献特開２００１−２３６０６１で使用されている基本のムーブメントを使用する。【００１４】  以下、本発明の実施の形態を図１、２、に基づいて説明すると、コノ字型のミゾを持つスライダーを使用した、ムーブメントの上面図、２は同上側面図である。
１は基盤２にとめられたオルゴールの弁である。
このオルゴールでは、２０個の弁を持っているが、今１個のスライダー３について説明をすれば、基盤に固定されているＬアングル１４，１５に４本のシャフト４を介し上下に挟さまれており左右方向は、８個のスペーサー４Ａで挟まれており、上下左右のガタをなくしている。
図２に示すコノ字型のミゾ１７は本図では、ソレノイド９の鉄心１０によりワイヤー７を介して、最終端に引かれた状態を示す。
１３は元に戻るためのスプリングである。
図２は回転シャフト２１に摺動回転するスターホイール６が、弁を弾いた状態を示す。【００１５】次にコノ字型のミゾを持つスライダー３についてスターホイール６との一連の動作を、図３，４，５，６で順を追って説明すると、図３はスターホイールとコノ字型のミゾを持つスライダー３の初期状態図、図４はスターホイールの爪がコノ字型のミゾに入った状態図、図５はスターホイールの爪がコノ字型のミゾ１７の角で押される状態図、図６はスターホイール６とコノ字型のミゾを持つスライダー３の終点状態図をそれぞれあらわしている。
図３ではスライダー３が矢印方向から水平に進んできた状態で先端矢印１８で止まった状態である。
図４はこの状態で矢印の方向に爪６Ａが６Ｂの状態にミゾの中に進んできて停止しいている状態である。
この状態から、図５の矢印の方向にスライダー３が引かれ、図６矢印２０の位置で停止するとオルゴールの弁は矢印１９のように上下に振動して弾かれる。
そして、スライダー３はスプリング１３で戻され、図３の状態に戻る。【００１６】図１２はコノ字型のミゾを持つ往復回転車５０で弁の数だけ用意されており、コノ字型のミゾ１７を持つスライダー３に代わって４９の円を中心にワイヤー５１を出し入れすることで矢印方向に往復回転動できスライダー３と同様な役割をすることができる。
【実施例２】
【００１７】  本発明請求項２の実施例を説明するにあたり、特開平９−１５２８６４  ディスクオルゴールにおいて、図１、図２は本発明で使用するディスクオルゴールの概観斜視図で、図３はディスクをはずした状態を示す概観斜視図、図５はスターホイールと駆動シャフトの構成図である。
そして図６にはディスクによるスターホイールの間欠回転とオルゴールの鍵盤を弾く様子が、説明されている。
以上のオルゴールを使用して以下、発明の実施形態を図に基いて説明する。【００１８】  図７は従来のディスクで穴２２を中心にオルゴールの弁のピッチ上にメローデーを発するための穴２３が必要個数開いている。
図８は穴２２の中心にして、直径ｄを描く円で、ディスクの真ん中を中心にして外周を２０等分に分割し、音階用の穴２３とは別の最外周に検出用の穴２５を４０個設けてある。
ディスクの中心に直径ｄの円を描き、上記２０等分された穴の中心より直径ｄの円周に接する接線４８を描く。
直径ｄは、上記接線４８上に弁と同数の２０個穴を開けてありディスクが回転をしたときに全ての音階の弁がほぼ同時に弾かれるような直径である。【００１９】  以上の穴をあけられたディスクを使用したムーブメントを説明すると、図９は本特許のディスクを使用したムーブメントの上面図、図１０は同上側面図でオルゴールのムーブメントは、前述したムーブメントを基本として使用しているが、これにディスクの検出用の穴２５を検出するための透過型のホトカプラー２４とスターホイールをメカ的に制御する、２０個のソレノイド３０から構成されている。
ディスク２６は、回転台２７を中心にモータ５の駆動を介して、矢印の方向に回転する。
図１０で爪６Ｅを制御するシャフト２９について説明すると、制御シャフトは樹脂で構成され、簡単に垂直の穴を開けられ、弁の数だけ用意されている。
ソレノイドの鉄心３１の先端には、円筒のアダプター３２が固着されており、アダプター３２に垂直に圧入された、シャフト３３に制御シャフト２９の垂直穴を回転自在には嵌めあわせてある。
図１０では、鉄心９がスプリング３０で引っ張られて、アダプター３２の先端が、ストッパー４２で停止しているところである。
この状態で、爪６Ｄ，６Ｅはディスク２６の裏面に接触していない状態に保持されているよう位置にある。
鉄心３１が吸引されると、制御シャフト２９は爪６Ｅから離れ、円周上の穴２８がくれば爪６Ｄを引っ掛けて、回転させ弁１を振動させる。
その後、制御シャフト２９は爪６Ｅが通過後、鉄心３１の吸引を解除して元の状態、図１０に戻る。
【符号の説明】
【００２０】４はスペーサー
５はモーター
５Ａは図示しない減速機構
８はワイヤー７のガイド
１１，１２はスプリング１３のホルダー
１６は鉄心１０の騒音防止クッション
３４は制御シャフト２９の上方抜け防止キャップ
３５は制御シャフト２９のガイド
３６は一端をシャフト３３につけて鉄心３１を前方に引っ張るスプリング
３７はディスク２６を回転駆動させるゴムリング
３８ソレノイド取り付け台
３９はベース
４０はスペーサー
４１はストッパー４２の保持具
４３はソレノイドのホルダー
４４はベース
４５はスペーサー
【図１】
2015203865.tif 000003
【図２】
2015203865.tif 000004
【図３】
2015203865.tif 000005
【図４】
2015203865.tif 000006
【図５】
2015203865.tif 000007
【図６】
2015203865.tif 000008
【図７】
2015203865.tif 000009
【図８】
2015203865.tif 000010
【図９】
2015203865.tif 000011
【図１０】
2015203865.tif 000012
【図１１】
2015203865.tif 000013
【図１２】
2015203865.tif 000014